(57)【要約】【課題】ホストコンピュータからの印字データを用いることなく、プリンタのオペレーションパネルに設けられているキーを押すことで所望の罫線を印字可能なプリンタ装置を提供することである。【解決手段】ロール状に巻回された用紙を搬送するプラテンローラと、このローラに対向配置された印字ヘッドと、前記用紙を切断するカッタと、複数の印字パターンが登録されると共に、その複数の印字パターンの内の指定されたいずれか１種類を保持するパターン記憶部と、前記パターン記憶部に保持されている１種類の印字パターンを前記印字ヘッドに送信するとともに前記用紙を搬送させるフィードキーと、前記印字ヘッドに対し、上位機器からの印字データおよび前記パターン記憶部に保持されている印字パターンのいずれかを前記印字ヘッドに送信する制御部とをプリンタ装置に備える。【選択図】図１
2014166704.tif 000002
【特許請求の範囲】
【請求項１】
ロール状に巻回された用紙を搬送するプラテンローラと、
このローラに対向配置された印字ヘッドと、
前記用紙を切断するカッタと、
複数の印字パターンが登録されると共に、その複数の印字パターンの内の指定されたいずれか１種類を保持するパターン記憶部と、
前記パターン記憶部に保持されている１種類の印字パターンを前記印字ヘッドに送信するとともに前記用紙を搬送させるフィードキーと、
前記印字ヘッドに対し、上位機器からの印字データおよび前記パターン記憶部に保持されている印字パターンのいずれかを前記印字ヘッドに送信する制御部と
を備えたプリンタ装置。
【請求項２】
前記パターン記憶部に保持されている１種類の印字パターンの種類によって前記カッタによって切断された用紙の位置を変更する用紙停止位置判断部、をさらに備えた請求項１記載のプリンタ装置。
【発明の詳細な説明】
【技術分野】
【０００１】
本発明の実施態様は、ロール状に巻回された用紙を切断して排出するプリンタ装置に関する。
【背景技術】
【０００２】
レシートやチケット等の発行装置として用いられるプリンタ装置では、ロール状に巻回されたロール紙から引き出された長尺状の用紙に所定事項を印刷した後、所定長の長さの紙片に切断して排出を行っている。
【０００３】
ロール状に巻回された長尺状の用紙に印字後所定の長さの紙片に切断してレシートやチケット等として発行する場合、印字の内容はプリンタ装置に接続されているパソコン等より送信されたデータを用いている。この為用紙の切断位置等の決定等オペレーターは何もおこなう必要はなく、全てプリンタ装置が自動で発行する。
【０００４】
またプリンタ装置にはオペレーションパネルと呼ばれるプリンタ装置の操作部が設けられており、この操作部にはフィードキーが設けられている。このフィードキーはオペレーターがこのフィードキーを押す事によってロール状に巻回された用紙をプリンタ装置に接続されているパソコン等の印字命令に関係なく搬送させる事が可能となっており、フィードキーに複数の紙送り機能を設定する事も知られている。
【０００５】
プリンタ装置に使用されるロール状に巻回された用紙は単なる無地の用紙である場合が多く、オペレーターはフィードキーを押して送り出されたロール状に巻回された用紙を切断し、メモ用紙等に用いる事をしていた。
【先行技術文献】
【特許文献】
【０００６】
【特許文献１】特開２００６−２８９６８７号公報
【発明の概要】
【発明が解決しようとする課題】
【０００７】
本発明が解決しようとする課題は、パソコン等の上位機器と通信可能な、ロール状に巻回された用紙を用いるプリンタ装置であって、単独で用紙の紙送りが可能であると同時に複数種の罫線種を選択印字可能なフィードキーを設けたプリンタ装置を提供することである。
【課題を解決するための手段】
【０００８】
上記課題を達成するために、ロール状に巻回された用紙を搬送するプラテンローラと、このローラに対向配置された印字ヘッドと、前記用紙を切断するカッタと、複数の印字パターンが登録されると共に、その複数の印字パターンの内の指定されたいずれか１種類を保持するパターン記憶部と、前記パターン記憶部に保持されている１種類の印字パターンを前記印字ヘッドに送信するとともに前記用紙を搬送させるフィードキーと、前記印字ヘッドに対し、上位機器からの印字データおよび前記パターン記憶部に保持されている印字パターンのいずれかを前記印字ヘッドに送信する制御部とをプリンタに備えたことを特徴とする。
【図面の簡単な説明】
【０００９】
【図１】第１の実施形態に係るプリンタ装置の要部構成図。
【図２】第１の実施形態に係るプリンタ装置の制御回路構成を説明するブロック図。
【図３】第１の実施形態に係るオペレーションパネルの要部説明図。
【図４】第１の実施形態に係る罫線種テーブル説明図。
【図５】第１の実施形態に係る罫線印刷説明図。
【図６】第１の実施形態に係るパターン記憶部のデータの印字を説明するブロック図。
【図７】第１の実施形態に係る印字パターンの変更の流れを示す流れ図。
【図８】第１の実施形態に係る印字パターンの印字の流れを示す流れ図。
【図９】第１の実施形態に係る印字位置と切断位置の位置説明図。
【図１０】第２の実施形態に係る用紙切断後の待機位置決定の流れを示す流れ図。
【発明を実施するための形態】
【００１０】
以下に、本発明の一実施形態に係るプリンタ装置を、図面を参照して詳細に説明する。
【００１１】
（第１の実施形態）
以下、本発明の実施形態について、図面を用いて詳細に説明する。
【００１２】
図１はプリンタ１０の要部構成を示している。なお、このプリンタでは、図の右側から左側に向けて用紙１１が搬送されるので、以下の説明においては、図中右側を上流側、左側を下流側とする。図中符号１１は巻軸１２に巻回されたロール状の用紙であり、巻軸１２はプリンタ１０に回転自在に支持されている。用紙１１の下流側にはアイドラローラ１３が回転自在に支持され、さらにその下流には、図示しないモータによって回転可能とされたプラテンローラ１４と、このプラテンローラ１４に対して用紙搬送路１５を挟んで対向配置されたサーマル印字ヘッド１６とが配置されており、これらプラテンローラ１４とサーマル印字ヘッド１６で印字部１７を構成している。サーマル印字ヘッド１６は、用紙１１が用紙搬送路１５上を下流側に向け搬送される際、用紙１１の搬送に合わせて１行ずつ印字をするようになっている。また、サーマル印字ヘッド１６は、プラテンローラ１４に押圧され、サーマル印字ヘッド１６とプラテンローラ１４との摩擦によって用紙１１を下流側に送るようになっている。
【００１３】
印字部１７の搬送方向下流側にはカッタ１８が配置されている。このカッタ１８は固定刃１９と可動刃２０とを有しており、カッタ１８のスリット(図示せず)に挿入されてきた用紙１１を固定刃１９に向け可動刃２０を図示しないモータ駆動によりスライド移動することで切断する。
【００１４】
ここでカッタ１８は固定刃１９に向け可動刃２０がスライド移動するいわゆるスライド式カッタで説明したがこれに限定されるものではなく、固定刃に対し可動刃が回転することで用紙を切断するいわゆるロータリー式カッタであってもよい。
【００１５】
カッタ１８の用紙搬送方向下流側には、フィードローラ２１と、このフィードローラ２１に対して用紙搬送路１５を挟んでアイドラローラ２２が対向配置されている。
【００１６】
またフィードローラ２１の用紙搬送方向下流側には、用紙１１に対してサーマル印字ヘッド１６にて印字を実施した後、用紙１１をカッタ１８にて所定の長さに切断後プリンタ１０から排出する排出口２３が設けられている。
【００１７】
また排出口２３の用紙搬送方向下流側には、切断された用紙１１を保持する排出テーブル２４が設けられている。
【００１８】
また排出口２３の上方には、後述する、用紙１１の紙詰りや用紙切れを表示する表示器２６、用紙１１のフィードキー２７や印字種の設定や変更をおこなう設定／変更キー２８を有したオペレーションパネル２５が設けられている。
【００１９】
図２は上述したプリンタ１０の印字制御部５０を示している。この印字制御部５０は、用紙搬送、印刷、用紙切断、用紙排出の各制御をおこなう手段を有している。
【００２０】
この印字制御部５０は、ホストコンピュータ５１との連係および各種の制御の実行をおこなう、例えば、マイクロコンピュータで構成されている。印字制御部５０の中央処理装置（ＭＰＵ）５２は、プログラムに従って用紙搬送制御、印刷制御、用紙切断制御、用紙排出制御等の各種の制御や演算をおこなう。またこのＭＰＵ５２は、時間設定および時間制御をおこなう手段としてタイマ５３を備えている。
【００２１】
このＭＰＵ５２で実行する制御プログラムや制御または演算途上のデータ等を格納する主記憶手段としてＲＯＭ５４およびＲＡＭ５５が設置されている。ＲＯＭ５４は制御プログラムやテーブル等を持つ読出し専用メモリであり、ＲＡＭ５５は演算途上のデータ等を格納する随時書込みメモリである。
【００２２】
また、ＲＯＭ５４には後述する罫線種テーブル６３が、またＲＡＭ５５には後述する罫線種記憶部６４が設けられている。
【００２３】
また、この印字制御部５０には、ホストコンピュータ５１からの各種の入力データの取込みや、ホストコンピュータ５１への印字制御部５０の制御出力の取出しをおこなう入出力ユニット（Ｉ／Ｏ）５６が設けられている。このＩ／Ｏ５６は、ＭＰＵ５２、ＲＯＭ５４およびＲＡＭ５５とをバスを通じて連係されている。
【００２４】
また、このＩ／Ｏ５６には、制御出力を取り出す為の手段として、第１、第２、第３、第４、第５および第６のドライバ５７、５８、５９、６０、６１、６２が接続されている。
【００２５】
ドライバ５７は印字部１７へ必要な駆動出力を供給する。ドライバ５８はカッタ１８への駆動出力を供給する。ドライバ５９はフィードローラ２１への駆動出力を供給する。ドライバ６０は表示器２６に各種表示を行わせる表示駆動出力を供給する。ドライバ６１はフィードキー２７に用紙１１への印字ならびに搬送の駆動出力を供給する。またドライバ６２は設定／変更キー２８に罫線印字種情報を供給したり、情報を保持する出力を供給する。
【００２６】
印字部１７は、図１に示す様に、サーマル印字ヘッド１６およびプラテンローラ１４を備えている。このプラテンローラ１４は、ＭＰＵ５２の指令手段としての制御出力に基づき、図示しないモータにより印字動作と同期して回転駆動される。サーマル印字ヘッド１６は、ホストコンピュータ５１からの印字データ若しくは後述する罫線種記憶部６４に保持してある罫線印字種データに基づき用紙１１に印字をおこなう。
【００２７】
また印字制御部５０のＭＰＵ５２は、ドライバ５８を介して、カッタ１８を駆動させ用紙１１を切断する。
【００２８】
また印字制御部５０のＭＰＵ５２は、ドライバ５９を介して、フィードローラ２１の回転および停止駆動をおこなう。
【００２９】
また印字制御部５０のＭＰＵ５２は、ドライバ６０を介して、表示器２６にプリンタ１０の各種状態やエラー内容、罫線種記憶部６４に現在保持されている罫線種情報等を表示する。
【００３０】
また印字制御部５０のＭＰＵ５２は、ドライバ６１を介して、罫線種記憶部６４に保持してある罫線データを印字部１７に送信する。
【００３１】
また印字制御部５０のＭＰＵ５２は、ドライバ６２を介して、罫線種記憶部６４に保持させる罫線種情報を設定および変更する。
【００３２】
次に、プリンタ１０の動作を説明する。印字制御部５０はＲＯＭ５４に記憶されているプログラムに則って用紙搬送ならびに印字動作をおこなう。まず、用紙１１を引き出し、アイドラローラ１３を経由後その先端がサーマル印字ヘッド１６とプラテンローラ１４との間に位置するようにセットする。この状態でホストコンピュータ５１からの印字要求が入力されると、印字制御部５０はその印字要求に応じて印字部１７を動作させ、ホストコンピュータ５１から送られた印字データを用紙１１上に印字する。印字はサーマル印字ヘッド１６とプラテンローラ１４との協働にて行われ、サーマル印字ヘッド１６にて印字された用紙１１はプラテンローラ１４の回転によりその先端をカッタ１８に向け搬送する。
【００３３】
印字された用紙１１は、固定刃１９と可動刃２０の間にある図示しないスリット内に挿入され、その後カッタ１８を通過する。
【００３４】
用紙１１に対して所定の印字が完了すると、印字制御部５０はドライバ５８を介してカッタ１８を駆動させ用紙１１を切断する。この後印字制御部５０はドライバ５９を介してフィードローラ２１を回転させる。このフィードローラ２１の回転により用紙１１は排出口２３から外部へ排出され、排出テーブル２４上に載置される。
【００３５】
前記の様に、プリンタ１０は、ホストコンピュータ５１からの印字要求により、用紙１１に所定の印字をおこない、その後用紙１１をカッタ１８にて切断しプリンタ１０の外部に排出するが、これとは別にプリンタ１０のオペレーターは用紙１１をメモ用紙として使用したい場合がある。
【００３６】
図３にオペレーションパネル２５の一実施形態の例を示す。オペレーションパネル２５にはＬＣＤ等の表示器２６、フィードキー２７および設定／変更キー２８が設けられている。またＲＯＭ５４には図４に示す罫線種のデータが、罫線種テーブル６３として保管されている。この罫線種とは用紙１１に対して、ホストコンピュータ５１を介さないで印字をおこなう罫線である。
【００３７】
図５の（ａ）から（ｄ）に一実施形態の印字例を示す。
【００３８】
図５の（ａ）は図４に示す罫線種の内の罫線種１に該当する、なし（無地）である。なお罫線はなしであるので用紙１１には何ら印字がおこなわれない。
【００３９】
図５の（ｂ）（ｃ）（ｄ）はそれぞれ図４に示す罫線種の内の罫線種２、罫線種４、罫線種６を示している。なお本実施形態では罫線種テーブル６３に保管されている罫線種は６種類としたがこれに限定する必要はなく、５種類以下であったり７種類以上であっても何ら問題ない。
【００４０】
本実施の形態における印字データの流れを図６乃至図８を用いて説明する。
【００４１】
プリンタ１０は２種類の印字命令による印字が可能である。
【００４２】
第1の印字方法は、ホストコンピュータ５１からの印字データを用いるものであり、ホストコンピュータ５１からの印字データは印字制御部５０に送られその後印字部１７へ送られて用紙１１に印字がおこなわれる。
【００４３】
第２の印字方法は、第1の印字方法とは異なり、ホストコンピュータ５１を介さずに用紙１１に印字をおこなうものであり、プリンタ１０の用紙１１をメモ用紙として用いる場合における印字方法である。
【００４４】
以下、第２の印字方法を説明する。
【００４５】
ＲＯＭ５４には、図４に示す罫線種テーブル６３が記憶されており、またその罫線種の内のいずれか一種類のデータをＲＡＭ５５の罫線種記憶部６４に保持している。この罫線種テーブル６３と罫線種記憶部６４にてパターン記憶部６５を構成している。
【００４６】
オペレーターはまず設定／変更キー２８を押下する（Ｓ１）。設定／変更キー２８を押下すると、罫線種記憶部６４に保持されている罫線種テーブル６３の内のいずれか一種類の罫線種が表示器２６に表示される（Ｓ２）。
【００４７】
オペレーターは、この罫線種がメモ用紙として用いる際に使用したい罫線種でないか、すなわちパターンを変更するかを判断し（Ｓ３）、パターンを変更しない（Ｓ３のＮＯ）の場合は変更をおこなわず終了させる（Ｓ４）。
【００４８】
メモとして別のパターンを用いたい場合すなわちパターンを変更する場合（Ｓ３のＹＥＳ）、設定／変更キー２８により、パターン記憶部６５における罫線種テーブル６３の中より使用したいパターンを選択する（Ｓ５）。この選択変更により、選択されたパターン一種類が、パターン記憶部６５における罫線種記憶部６４に保持される（Ｓ６）。
【００４９】
なお初めに設定／変更キー２８を押下して表示器２６に罫線種記憶部６４に保持させてある罫線種を表示させたが、現在罫線種記憶部６４に保持させてある罫線種を把握しており、パターンを変更する必要がない場合は設定／変更キー２８を押下する必要はない。
【００５０】
罫線種記憶部６４にメモ用紙として印字をおこないたい罫線種の設定が完了後、オペレーターはフィードキー２７を押下する（Ｓ１１）。なおここで言う押下とは、キーを押して即押された状態を解放するのではなく、押したままの状態を維持することを示している。
【００５１】
フィードキー２７の押下の信号を受信している間、パターン記憶部６５における罫線種記憶部６４に現在保持している印字パターンを印字制御部５０を経由して印字部１７に送り（Ｓ１２）、印字部１７は用紙１１に印字をおこなう（Ｓ１３）。
【００５２】
フィードキー２７の押下が解放されると（Ｓ１４）、印字制御部５０は印字を終了させ（Ｓ１５）、その後図９に示す用紙１１へのサーマル印字ヘッド１６の印字位置Ａとカッタ１８の固定刃１９と可動刃２０とで用紙１１が切断される切断位置との距離であるＺだけ用紙１１を搬送させ（Ｓ１６）、その後カッタ１８にて用紙１１を切断し（Ｓ１７）、印字済の用紙１１をフィードローラ２１とアイドラローラ２２の協働により排出口２３よりプリンタ１０の外部へ排出する（Ｓ１８）。
【００５３】
この距離Ｚだけ用紙１１を搬送させずにフィードキー２７の押下が解放されると同時にカッタ１８にて用紙を切断すると、用紙１１のＺの部分に印刷されたまま残っている罫線が次の印字の際用紙の上端部に存在する事になってしまう。この為距離Ｚだけ用紙１１を搬送後、用紙１１を切断させることで次の印字の際に前の印字である罫線を残さない様にしている。
【００５４】
用紙切断後プリンタ１０は引き続いてプラテンローラ１４を、図１のＹ方向に回転させ、距離Ｚだけ用紙１１を上流方向へ逆送させる（Ｓ１９）。これは、用紙１１をカッタ１８にて切断した時点で用紙１１を停止させておき、そのまま次の印字を始めると、Ｚの領域は何も印字していない空白領域となっているので、空白領域が次の印字の際用紙の上端部に存在する事になってしまい用紙の無駄となってしまう。この為距離Ｚだけ用紙１１を上流方向へ逆送させることで次の印字の際に用紙の先端部に無駄な空白領域を残さない様にしている。
【００５５】
これにより本実施の形態によれば、フィードキー２７を押下し続けている間、罫線種記憶部６４に保持されている罫線種を用紙１１に印字する事が可能となり、オペレーターはホストコンピュータ５１を用いる事無く容易にメモ用紙を入手する事が可能となる。
【００５６】
なお、本実施の形態では、フィードキー２７を押下し続けている間、罫線種記憶部６４に保持されている罫線種を用紙１１に印字する事を説明したが、これに限る必要はなく、フィードキー２７を１回押下すると、その押下し続けている時間に関係なく予め定めた用紙長だけ罫線種を印字して排出するといった制御をおこなってもよい。
【００５７】
（第２の実施形態）
以下に第２の実施形態について、図１０を用いて詳細に説明する。
【００５８】
第２の実施形態は、罫線種記憶部６４に保持されている罫線種によって用紙切断後の用紙の待機位置を変えると言うものであり、ＲＯＭ５４には用紙停止位置判断部が設けられている。
【００５９】
用紙１１に対して、ホストコンピュータ５１からの印字要求もしくはフィードキー２７の押下による印字のいずれかによって所定の印字が成されると、その後用紙１１はカッタ１８にて切断される（Ｓ２１）。
【００６０】
その後前記用紙停止位置判断部は現在罫線種記憶部６４に保持されている罫線種を確認し、図４の罫線種１である、なし（無地）データが保持されているかを確認する（Ｓ２２）。ここで、空白印字をおこなう罫線種である、なし（無地）が保持されていない場合（Ｓ２２のＮ）であった場合、プラテンローラ１４を図１のＹ方向に回転させ、図９のＺの距離だけ用紙１１を上流方向に逆走させその位置で停止させ（Ｓ２３）、次の印字指示を待つ。
【００６１】
また空白印字をおこなう罫線種である、なし（無地）が保持されている場合（Ｓ２２のＹ）であった場合、その位置で停止させ（Ｓ２４）、次の印字指示を待つ。
【００６２】
前述の様に、用紙切断後プリンタ１０は引き続いてフィードローラ１４を、図１のＹ方向に回転させ、距離Ｚだけ用紙１１を上流方向へ逆送させ用紙を待機させている。これにより、次の印字の上端部に空白の部分が存在しないようにしている、この後ホストコンピュータ５１からの印字要求による印字もしくはフィードキー２７の押下により罫線の印字がおこなわれる。
【００６３】
しかしながらフィードキー２７に、図４に示す罫線種１である印字なしすなわち無地が割り当てられていた場合、用紙切断・排出後にフィードキー２７を押下して罫線なし（無地）を出力の際、Ｚの距離だけ上流方向への逆送させた位置で待機をさせなくとも、次の印字の上端部に存在する空白部分はフィードキー２７を押下して出力させた出力結果に転用（流用）する事が可能となる。
【００６４】
すなわち罫線種記憶部６４に罫線なし（無地）のデータが保持されこれを印字する場合は、Ｚの距離だけ用紙を上流方向へ逆送させた位置で待機しないほうがこの搬送の時間だけプリンタ１０の出力時間を短縮することが可能となる。
【００６５】
これにより本実施の形態によれば、より印字時間を短縮可能なプリンタを提供することが可能となる。
【００６６】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更をおこなうことができる。これらの実施形態やその変形は、発明の範囲や要旨に含まれると共に、特許請求の範囲に記載された発明とその均等の範囲に含まれる。
【符号の説明】
【００６７】
１０：プリンタ
１１：用紙
１４：プラテンローラ 
１６：サーマル印字ヘッド
１８：カッタ 
２１：フィードローラ
２２：アイドラローラ 
２３：排出口
２４：排出テーブル
２５：オペレーションパネル
【図１】
2014166704.tif 000003
【図２】
2014166704.tif 000004
【図３】
2014166704.tif 000005
【図４】
2014166704.tif 000006
【図５】
2014166704.tif 000007
【図６】
2014166704.tif 000008
【図７】
2014166704.tif 000009
【図８】
2014166704.tif 000010
【図９】
2014166704.tif 000011
【図１０】
2014166704.tif 000012